(57)【要約】【課題】  火災時に、障子に用いられる樹脂材料が溶け落ちて加熱された下枠等に接触して発火することを防止することで、火災の延焼を抑制する。【解決手段】  上下、左右の枠材を四周に組んでなり、建物開口部に配置される枠体と、枠体内に開閉自在に配置される障子と、枠体を構成する下枠の上面に取り付けられる樹脂製の下カバー部材を備え、の下面には、下枠カバー部材の長手方向全長に沿って加熱により膨張する加熱膨張材が配置されている。【選択図】図３
2018028247.tif 000002
【特許請求の範囲】
【請求項１】
上下、左右の枠材を四周に組んでなり、建物開口部に配置される枠体と、枠体内に開閉自在に配置される障子と、枠体を構成する下枠の上面に取り付けられる樹脂製の下カバー部材を備え、
下カバー部材の下面には、下枠カバー部材の長手方向全長に沿って加熱により膨張する加熱膨張材が配置されている
ことを特徴とする建具。
【発明の詳細な説明】
【技術分野】
【０００１】
本発明は、建物開口部に配置される防火サッシに関する。
【背景技術】
【０００２】
建物開口部に配置される建具として、枠体を構成する下枠の上面に樹脂製のカバー部材を配置して、断熱性を向上させた建具が公知となっている。
【先行技術文献】
【特許文献】
【０００３】
【特許文献１】特開２００８−１２７９０３号
【発明の概要】
【発明が解決しようとする課題】
【０００４】
近年、特許文献１の建具のような断熱建具においても、火災時の防火性能が求められるようになっており、障子の下框などに加熱により膨張する加熱膨張材を配置して、火災時に障子の下框と下枠との間の隙間を封鎖して、火炎や煙が室内外を連通して延焼することを防止している。
しかし、断熱性に優れた建具は、障子の複層ガラスの空気層を大きくしたり、障子の樹脂框の見込み寸法を大きくして断熱性を向上させているために、自ずと樹脂材料部分が多くなり、また、枠体においても当然見込み寸法が大きくなり、枠体における樹脂材料部分も多くならざるをえず、樹脂部分を構成する材料によっては火災時の熱よって溶融して下枠上面に落下し、下枠の熱によって発火して室内側への延焼を引き起こす原因となる可能性があった。
【０００５】
本発明は、上記の事情を鑑み、火災時において、障子に用いられる樹脂材料が溶け落ちて下枠の熱によって発火することを防止して、火災の延焼を抑制することを目的とする。
【課題を解決するための手段】
【０００６】
本発明は、上下、左右の枠材を四周に組んでなり、建物開口部に配置される枠体と、枠体内に開閉自在に配置される障子と、枠体を構成する下枠の上面に取り付けられる樹脂製の下カバー部材を備え、下カバー部材の下面には、下枠カバー部材の長手方向全長に沿って加熱により膨張する加熱膨張材が配置されていることを特徴とする。
【発明の効果】
【０００７】
本発明の構成により、火災時に障子に用いられる樹脂部材が溶け落ちても、膨張した加熱膨張材によって加熱された下枠に直接接触することを防止することができ、発火を防いで火災の延焼を抑制することができる。
【図面の簡単な説明】
【０００８】
【図１】本発明の実施形態に係る防火サッシの縦断面図である。
【図２】本発明の実施形態に係る防火サッシの横断面図である。
【図３】本発明の実施形態に係る防火サッシの下枠部分の通常時における拡大縦断面図である。
【図４】本発明の実施形態に係る防火サッシの下枠部分の火災時における拡大縦断面図である。
【図５】本発明の他の実施形態に係る防火サッシの下枠部分の通常時における拡大縦断面図である。
【発明を実施するための形態】
【０００９】
本発明の実施形態に係る防火サッシを、図面を参照して説明する。
（全体の構成）
本発明の実施形態に係る防火サッシは、建物開口部に設置され、図１，２に示すように、上枠１１、下枠１２及び左、右縦枠１３，１４を四周に組んでなる枠体１と、上框２１，３１、下框２２，３２、左縦框２３，３３及び右縦框２４，３４を四周に組んでその内周にパネル体が嵌め込まれてなる内、外障子２，３とからなり、枠体１に形成された内、外案内レールに沿って内、外障子２，３を左右方向に移動可能に支持することにより、引き違いサッシとして構成されている。本実施形態の防火サッシにおいては、網戸障子４が、外障子３のさらに室外側に配置されている。
なお、本発明の防火サッシは、引き違いサッシに限るものではなく、片引き窓など、窓枠に対して障子が開閉するものであれば、どのような方式のサッシであってもよい。
【００１０】
（枠体の構成）
図１に示すように、枠体１を構成する上枠１１は、アルミニウム等の金属材料により形成された室外側上部材１１１及び室内側上部材１１２と、室外側上部材１１１と室内側上部材１１２とを連結する樹脂等の断熱材からなる連結部材１１３と、室内側上部材１１２の下面内周に配置固定される樹脂製の樹脂上部材１１４とにより構成されている。
室外側上部材１１１の室外寄りの下面には、外障子３を案内する外案内レール１１１ａ及び網戸案内レール１１１ｂが垂下されるとともに、室内側上部材１１２の室外側端部の下面には、内障子２を案内する内案内レール１１２ａが垂下されている。
【００１１】
樹脂上部材１１４は、室内側上部材１１２の内案内レール１１２ａの室内面を覆う室外壁部１１４ａと、室内側上部材１１２の下面を覆う上壁部１１４ｂと、上壁部１１４ｂの室内側端が下方に垂下してしてなる室内壁部１１４ｃと、室内壁部１１４ｃの下端が室内側に延設されてなる額部１１４ｄとから形成されており、室内側上部材１１２が直接室内空間に露出することを防止している。
【００１２】
内障子２と外障子３の召合せ部の上方位置であって、上枠１１の外案内レール１１１ａと内案内レール１１２ａの間、及び、網戸案内レール１１１ｂと外案内レール１１１ａとの間には、それぞれ風止板ｄ１，風止板ｄ２が配置されている。そして、少なくとも外案内レール１１１ａと内案内レール１１２ａの間の風止板ｄ１と左縦枠１３との間には、上枠１１の室外側上部材１１１の下面を覆う樹脂製の上カバー部材５１が配置されており、内、外障子２，３の閉鎖時において外障子３の室内側に露出される室外側上部材１１１の下面から冷熱が室内に直接伝達されることを防止している。そして、上カバー部材５１には、下方に延びる片状の可動片５１ａが設けられている。
【００１３】
枠体１を構成する下枠１２は、アルミニウム等の金属材料により形成され中空部１２ａを有する下枠本体１２１と、樹脂材料により形成され下枠本体１２１の室内側上面に配置固定される樹脂下部材１２２とにより構成されている。
樹脂下部材１２２は、下枠本体１２１の上面を覆う底壁部１２２ａと、底壁部１２２ａの室内側端が上方に延設してなる室内壁部１２２ｂと、室内壁部１２２ｂの上端が室内側に延設されてなる額部１２２ｃとから形成されており、下枠本体１２１の室内側上面が直接室内空間に露出することを防止している。
【００１４】
下枠本体１２１の室外寄りの上面には外障子３を案内する外案内レール１２１ａが設けられ、室内寄りの上面には内障子２を案内する内案内レール１２１ｂが設けられており、下枠本体１２１の室外側壁面には網戸４の網戸案内レール１２１ｃが設けられている。
そして、外案内レール１２１ａと内案内レール１２１ｂの間には、下枠本体１２１の上面を覆う樹脂製の下カバー部材５２が配置されている。
下カバー部材５２は、下枠１２の略半分の長さを備えた略矩形長尺形状の板状部材として構成されており、少なくとも下枠１２の召合せ部下方位置に設置された召合せブロックｄ３と左縦枠１３との間に取り付けられ、内、外障子２，３の閉鎖時において室内に露出される下枠本体１２１の上面から冷熱が室内に直接伝達されることを防止している。
【００１５】
図２に示すように、左縦枠１３は、アルミニウム等の金属材料により形成され内周面に外障子３の戸先框（左縦框）３３に配置される引寄せブロックｆが当接する引寄せ片１３１ａが設けられた本体部材１３１と、樹脂材料により形成され本体部材１３１の室内側内周面に配置固定される樹脂左部材１３２により構成されている。
樹脂左部材１３２は、本体部材１３１に係合され左縦枠１３の室内側内周面を覆う本体部１３２ａと、本体部１３２ａの室内側に延設する額部１３２ｂとにより構成されており、樹脂左部材１３２の本体部１３２ａには、上下方向の複数箇所において内周方向に開口する取付凹部１３２ｃを備え、取付凹部１３２ｃの底壁を本体部材１３１に重合させた状態で、両者を貫通するネジ等の固定手段（図示はない。）で内周側から複数箇所固定することにより、建物の開口部に強固に取付けられている。そして、取付凹部１３２ｃには樹脂製のキャップ１３２ｄが装着されることにより、アルミニウム等の金属材料によりなる左縦枠１３の本体部材１３１を介してネジ等の固定手段に伝達された冷熱が室内への伝達されることを抑制すると共に、ネジ等の固定手段の頭部が室内に露出することによる意匠の低下を抑えている。
なお、取付凹部１３２ｃは、樹脂左部材１３２の長手方向（上下方向）に連続する溝部として構成してもよい。
【００１６】
右縦枠１４は、アルミニウム等の金属材料により形成され内周面に内障子２の戸先框（右縦框）２４に配置される引寄せブロックｆが当接する引寄せ片１４１ａが設けられた本体部材１４１と、樹脂材料により形成され本体部材１４１の室内側内周面に配置固定される樹脂右部材１４２により構成されている。
樹脂右部材１４２は、本体部材１４１に係合される取付部１４２ａと、取付部１４２ａの室内側端より内周方向へ延びる室内壁部１４２ｂと、室内壁部１４２ｂの内周側端より室内側へ延設する額部１４２ｃにより構成され、取付部１４２ａを本体部材１４１に係合させた状態で、両者を貫通するネジ等の固定手段（図示はない。）で内周側から複数箇所固定することにより、建物の開口部に強固に取付けられている。
【００１７】
（障子の構成）
図１に示すように、内障子２の上框２１は、アルミニウム等の金属材料により形成され中空部２１１ａを有する室外側上框部２１１と樹脂材料により形成され中空部２１２ａを有する室内側上框部２１２とからなる複合框として構成されている。上框２１の外周には、上枠１１に形成された内案内レール１１２ａにより案内される案内溝２１ａが形成されているとともに、上框２１の内周には、室外側上框部２１１と室内側上框部２１２とによってパネル間口２１ｂが形成されている。
案内溝２１ａの室外側上端及び室内側上端には、内案内レール１１２ａに当接もしくは近接する気密材が取付けられており、上枠１１と上框２１との間を気密して、上框２１の上面と上枠１１下面との間を通って外気が直接室内に入り込むことを防止して、サッシの断熱性能を向上させている。
また、パネル間口２１ｂには、火災時に複層ガラスからなるパネル材２５が框材から外れることを防止するパネル外れ止め部材７２１が配置されており、パネル外れ止め部材７２１には、加熱により膨張する加熱膨張材が取り付けられている。
【００１８】
内障子２の下框２２は、アルミニウム等の金属材料により形成され中空部２２１ａを有する室外側下框部２２１と樹脂材料により形成され中空部２２２ａを有する室内側下框部２２２とからなる複合框として構成されており、下框２２の外周には案内溝２２ａが形成されて下枠１２に形成された内案内レール１２１ｂ上を走行する戸車ａが配置されているとともに、下框２１の内周には、室外側下框部２２１と室内側下框部２２２とによってパネル間口２２ｂが形成されている。
案内溝２２ａの室外側下端には、内案内レール１２１ｂに当接する気密材が取付けられており、下枠１２と下框２２との間を気密して、下框２２の下面と下枠１２上面との間を通って外気が直接室内に入り込むことを防止してサッシの断熱性能を向上させている。
また、パネル間口２２ｂには、火災時に複層ガラスからなるパネル材２５が框材から外れることを防止するパネル外れ止め部材７２２が配置されており、パネル外れ止め部材７２２には、加熱により膨張する加熱膨張材が取り付けられている。
【００１９】
図２に示すように、内障子２の戸先框（右縦框）２４は、アルミニウム等の金属材料により形成され中空部２４１ａを有する室外側戸先框部２４１と、樹脂材料により形成され複数の中空部２４２ａを有する室内側戸先框部２４２とからなる複合框として構成されている。
戸先框（右縦框）２４の外周には右縦枠１４に形成された引寄せ片１４１ａに当接する引寄せブロックｆが設置されているとともに、戸先框（右縦框）２４の内周には、室外側戸先框部２４１と室内側戸先框部２４２とによってパネル間口２４ｂが形成されている。
室外側戸先框部２４１の外周端には内障子２の閉鎖時に引寄せ片１４１ａに当接する気密材が取付けられており、右縦枠１４と戸先框２４との間を気密してサッシの断熱性能を向上させている。
また、パネル間口２４ｂには、火災時に複層ガラスからなるパネル材２５が框材から外れることを防止するパネル外れ止め部材７２４が配置されており、パネル外れ止め部材７２４には、加熱により膨張する加熱膨張材が取り付けられている。
【００２０】
内障子２の召合框（左縦框）２３は、アルミニウム等の金属材料により形成され中空部２３１ａを有する室外側召合框部２３１と樹脂材料により形成され中空部２３２ａを有する室内側召合框部２３２とからなり、室内側召合框部２３２が室外側召合框部２３１の室内側面及び外周面、即ち、障子の閉鎖時に室内に露出する面を覆うように一体化され複合框として構成されている。
召合框（左縦框）２３の内周には、室外側召合框部２３１と室内側召合框部２３２とによってパネル間口２３ｂが形成されており、パネル間口２３ｂには、火災時に複層ガラスからなるパネル材２５が框材から外れることを防止するパネル外れ止め部材７２３が配置され、パネル外れ止め部材７２３には加熱により膨張する加熱膨張材が取り付けられている。
召合框（左縦框）２３の外周面にはクレセント錠８１が取付けられている。また、内障子２の召合框（左縦框）２３の室外側面には、外障子３の召合框３４に向かって加熱膨張材が配置されている。室外側召合框部２３１の室外側面には煙返し片が形成され、外障子３の召合框３４の室内側面に形成された煙返し片と協働して煙返しｃを構成している。
【００２１】
外障子３は、召合框（右縦框）３４の構成が内障子２と異なっており、その他の点においては、概ね内障子２と同様であるので、召合框３４についてのみ説明し、外障子３の他の框材についての説明は省略する。
外障子３の召合框（右縦框）３４は、アルミニウム等の金属材料により形成され中空部３４ａを有しているとともに、中空部３４ａの内周にパネル間口３４ｂが形成されており、パネル間口３４ｂには、火災時に複層ガラスからなるパネル材２５が框材から外れることを防止するパネル外れ止め部材７３４が配置されている。パネル外れ止め部材７３４には、加熱により膨張する加熱膨張材が取り付けられている。
召合框（右縦框）３４の室内側面の外周端部には内障子２の召合框（左縦框）２３の室外側面に当接する気密材が取付けられており、外障子３の召合框３４と内障子２の召合框２３との間を通って外気が直接室内に入り込むことを防止してサッシの断熱性能を向上させている。また、召合框３４の室内側面には、召合框２３に向かって加熱膨張材が配置されている。
召合框（右縦框）３４の室内側面にはクレセント受け８２が取付けられている。
【００２２】
（補強材による耐火構造）
本実施形態の防火サッシにおいては、建具の重量がかかる下枠１２の中空部内、及び、内障子２、外障子３を構成する縦框材の中空部内に、火災時に建具の形状を保つための補強材が配置されている。
−下枠−
図１に示すように、下枠１２の中空部１２ａ内には、スチールもしくはアルミ合金等からなる補強部材９１２が中空部１２ａの上面に固定されて配置されている。
補強材９１２は、中空部の上面に固定される上壁部９１２ａと上壁部９１２ａの室外側端に連続する室外側壁部９１２ｂと室外側壁部９１２ｂの下端より室内方向に連続する底壁部９１２ｃと上壁部９１２ａの室内側端から下方に連続する室内側壁部９１２ｄとからなる長尺部材として形成され、室外側壁部９２２の上方位置の室内側面と下方位置の室外側面には、加熱により膨張する加熱膨張材が排水路等に対向するように配置されており、火災時に排水路等を塞ぐことで、室内外の火炎や煙の連通を防止する。
また、室内側壁部９１２ｄには、断面略Ｌ字状の補助部材９１２ｅが取り付けられており、補助部材９１２ｅの上面には加熱により膨張する加熱膨張材が配置されている。
【００２３】
−戸先框−
図２示すように、内、外障子２，３の戸先框２４，３３の室外側戸先框部２４１，３３１の中空部２４１ａ，３３１ａ内には、長手方向に沿ってスチールもしくはアルミニウム合金等からなり断面略Ｕ字状の補強材９２４，９３３が開口部を外周方向に向けて配置されており、断面略Ｕ字状の一側壁部が内障子２の戸先框２４のパネル間口２４ｂに配置されたガラス外れ止め部材７２４及び外障子３の戸先框３３のパネル間口３３ｂに配置されたガラス外れ止め部材７３３にそれぞれビス等の固定手段により固定されている。
【００２４】
−召合框−
内障子２の召合框２３の中空部２３１ａ内には、長手方向に沿ってスチールもしくはアルミニウム合金等からなり断面略Ｕ字状の補強材９２３が開口部を室外側に向けて配置されており、断面略Ｕ字状の一側壁部が内障子２の召合框２３のパネル間口２３ｂに配置されたガラス外れ止め部材７２３にビス等の固定手段により固定されている。
外障子３の召合框３４の中空部３４ａ内には、長手方向に沿ってスチールもしくはアルミニウム合金等からなり断面略Ｕ字状の補強材９３４が開口部を室内側に向けて配置されており、断面略Ｕ字状を構成する内周側壁部が外障子３の召合框３４のパネル間口３４ｂに配置されたガラス外れ止め部材７３４にビス等の固定手段により固定されているとともに、外周側壁部に固定されたピース部材９３４ａによって、召合框３４の室内側壁に固定されている。
【００２５】
（下カバー部材下面の加熱膨張材）
以上のように、本実施形態の防火サッシにおいては、下枠１２及び障子２の縦框の中空部内に補強材を配置して、火災時に障子２，３の形状を維持することで、室内外の煙の連通を遅らせるとともに、炎の連通による延焼を抑制している。
しかし、近年の建具においては、障子や枠体は、軽量化や断熱性の点から樹脂材料からなる部材の割合が多くなり、火災時に障子の樹脂部材が溶融して下枠上に落下して、高温に加熱された金属製の下枠によって燃えだしてしまうことがあり、延焼してしまう可能性があった。
【００２６】
そこで、本実施形態の防火サッシにおいては、下枠１２の上面に配置される下カバー部材５２の下面に加熱により膨張する加熱膨張材を配置することにより、障子を構成する樹脂部材、特に可燃性の樹脂部材が溶融して落下した場合であっても樹脂部材からの発火を有効に防止すると共に、しかも、日常の清掃等によって加熱膨張材が損傷することを防止して、長期間に亘って防火性能を維持することを可能にしている。以下、説明する。
【００２７】
図３に示すように、下カバー部材５２は、塩化ビニール等の樹脂材料により形成されており、下枠１２の上面から所定間隔を空けて配置される上壁部５２１と、上壁部５２１の室内側端部より下方に延設される室内側脚部５２２と、上壁部５２１の見込み方中央位置よりやや室外側の下面より下方に延設される室外側脚部５２３とを備えており、下カバー部材５２の室内側脚部５２２の下端には室内側に屈曲する係止部５２２ａが形成されている。
そして、室内側脚部５２２及び室外側脚部５２３を下枠１２の上面に載置した状態で、係止部５２２ａを下枠１２の内案内レール１２１ｂの下端部に形成された室外側に開口する被係止凹部１２１ｄに係止させるとともに、上壁部５２１の室外側端部５２１ａを下枠１２の外案内レール１２１ａの室内側面に形成された被係止凸部１２１ｆに係止することで、下枠１２の上面であって外案内レール１２１ａと内案内レール１２１ｂとの間に下カバー部材５２が取り付けられている。
【００２８】
下枠１２の上面に取り付けられた下カバー部材５２の上壁部５２１の下面であって、室内側脚部５２２と室外側脚部５２３との間には、加熱により膨張する加熱膨張材６１が両面テープ等により取り付けられているとともに、同じく上壁部５２１の下面であって、室外側脚部５２３の室外側には、同加熱膨張材６２が両面テープ等により取付けられている。
一方、外障子３の下框３２の案内溝３２ａを形成する室外側下框部３２１の室内側壁は、下框３２に配置される戸車ａの下端よりも下方に延設されており、室外側下框部３２１の室内側壁の室外側面には外案内レール１２１ａの室内側面に対向するようにホルダー部が形成されており、ホルダー部には加熱膨張材６３が取付けられている。
なお、下カバー部材５２の下面への加熱膨張材６１，６２の取付けは、両面テープ等による接着のほかに、例えば、外障子３の下框３２の加熱膨張材６３の取付のように、下カバー部材５２の下面に加熱膨張材６１，６２を保持するためのホルダー部を設けて取り付けてもよいし、また、下カバー部材５２の下面側に加熱膨張材を一体成形することで設けてもよい。
【００２９】
以上の構成により、本実施形態の防火サッシの室外側で火災が発生した際には、図４に示すように、外障子３の下框３２に取付けられた加熱膨張材６３が外案内レール１２１ａに向けて膨張するとともに、下カバー部材５２の下面に取り付けた加熱膨張材６１，６２が下枠１２の上面と下カバー部材５２との間で膨張して充満する。
これによって、火災時に下框３２に配置された戸車ａ等の樹脂部材が溶けて落下しても、下框３２に取付けられた加熱膨張材６３の膨張により下枠１２の上面への落下を防止することができる。仮に、膨張する加熱膨張材６３と外案内レール１２１ａとの隙間を通って落下しても下枠１２の上面と下カバー部材５２との間で膨張する加熱膨張材６１，６２により樹脂部材が下枠１２の上面に達することを防止することができる。
【００３０】
このとき、下カバー部材５２の室外側脚部５２３が上壁部５２１の室外側端ではなく、上壁部５２１の見込み方中央位置よりやや室外側位置に形成されており、室外側脚部５２３の室外側に加熱膨張材６２が取り付けられているので、加熱膨張材６２の膨張は下カバー部材５２の脚部に邪魔されることなく外案内レール１２１ａの室内側面に達することができ、外案内レール１２１ａの室内側に溶け落ちた樹脂が入り込む隙間が生じることが抑制できる。
【００３１】
さらに、下カバー部材５２が難燃性の材料により形成されることで、下方で加熱膨張材６１，６２が膨張することにより下カバー部材５２は浮き上がり、樹脂材料により形成された室内側下框部３２２が熱により溶け落ちても、溶け落ちた樹脂片は下カバー部材５２により下枠１２上面から遠ざけるように浮きあげられて加熱された下枠１２に接触することが防止でき、発火等の危険性を低減できる。
【００３２】
そして、日常生活においては、下枠１２と下カバー部材５２との間に充満させる加熱膨張材６１，６２を下枠１２の上面ではなく下カバー部材５２の下面に取り付けているので、雨水等による腐食や劣化を防止することができるとともに、下枠１２の上面にチリ等のゴミが溜まるのを防ぎ、溜まった場合には清掃を容易にすることができる。
【００３３】
（他の実施形態）
図５に示す他の実施形態は、内、外障子２，３を案内する下枠１２の上面の凹凸を少なくしたフラットレールタイプの防火サッシに本発明を採用したものである。
【００３４】
図５に示すように、フラットレールタイプの防火サッシにおいては、下カバー部材５３は、アルミニウム等の金属材料により形成された支持部材５３１と塩化ビニール等の樹脂材料により形成され支持部材５３１の上面を覆うカバー部５３２とから形成されている。支持部材５３１は下枠１２の上面に載置される室内側脚部５３１ａと室外側脚部５３１ｂとを備え、室外側脚部５３１ｂの室外側面には外案内レール１２１ａに向けて加熱膨張材６４が取り付けられている。また、支持部材５３１の上面とカバー部５３２の下面との間に加熱膨張材６５が配置されている。
一方、外障子３の下框３２の案内溝３２ａを形成する室外側下框部３２１の室内側壁は、下框３２に配置される戸車ａの下端よりも上方に位置しており、室外側下框部３２１の室内側壁の下面は室内側に屈曲して下壁部３２１ａが形成されており、下壁部３２１ａの下面には下方に向けてホルダー部が形成されており、ホルダー部には加熱膨張材６６が取付けられている。
【００３５】
以上のように、下カバー部材５３の支持部材５３１の室外側面に外案内レール１２１ａに向けて加熱膨張材６４が取り付けられているので、外案内レール１２１ａの室内側に隙間をつくることなく加熱膨張材６５を膨張させることができるので、溶け落ちる樹脂材料が下枠１２の上面に達するのを防ぐことができ、延焼を抑制できる。
また、下框２２，３２の室外側下框部３２１の室内側壁の下面を室内側に屈曲して下壁部３２１ａが形成され、その下面に加熱膨張材６６を取り付けているので、フラットレールタイプにおける下枠１２の上面と障子２，３の下面との隙間を確実に塞ぐことができ、室内外の連通を抑制することができる。
【００３６】
さらに、加熱膨張材を取り付ける下カバー部材は、外障子３の室内側に配置されるカバー部材に限るものではなく、図５に示すように、内案内レール１２１ｂの室内側に配置される樹脂下部材１２２の下面に加熱膨張材６７を設けることもでき、下枠の上面に配置されるカバー部材であれば、どのようなカバー部材であってもよく、また、建具自体の構成についても何ら限定されるものではない。
なお、本実施形態において、窓種は特に限定されるものではないが、本実施形態の下カバー部材が取り付けられている引違い窓や外動片引き窓は、室外側での火災の際に火炎に晒される下枠の面積が大きくて加熱されやすいので、下枠上面での加熱膨張材の膨張によって断熱層を形成する本発明を採用する建具として特に効果的である。
【符号の説明】
【００３７】
１        ：枠体
１１      ：上枠
１１１    ：室外側上部材
１１１ａ  ：外案内レール
１１１ｂ  ：網戸案内レール
１１２    ：室内側上部材
１１２ａ  ：内案内レール
１１３    ：連結部材
１１４    ：樹脂上部材
１１４ａ  ：室外壁部
１１４ｂ  ：上壁部
１１４ｃ  ：室内壁部
１１４ｄ  ：額部
１２      ：下枠
１２ａ    ：中空部
１２１    ：下枠本体
１２１ａ  ：外案内レール
１２１ｂ  ：内案内レール
１２１ｃ  ：網戸案内レール
１２１ｄ  ：被係止凹部
１２１ｆ  ：被係止凸部
１２２    ：樹脂下部材
１２２ａ  ：底壁部
１２２ｂ  ：室内壁部
１２２ｃ  ：額部
１３      ：左縦枠
１３１    ：本体部材
１３１ａ  ：片
１３２    ：樹脂左部材
１３２ａ  ：本体部
１３２ｂ  ：額部
１３２ｃ  ：取付凹部
１３２ｄ  ：キャップ
１４      ：右縦枠
１４１    ：本体部材
１４１ａ  ：片
１４２    ：樹脂右部材
１４２ａ  ：取付部
１４２ｂ  ：室内壁部
１４２ｃ  ：額部
２        ：内障子
２１      ：上框
２１ａ    ：案内溝
２１ｂ    ：パネル間口
２１１    ：室外側上框部
２１１ａ  ：中空部
２１２    ：室内側上框部
２１２ａ  ：中空部
２２      ：下框
２２ａ    ：案内溝
２２ｂ    ：パネル間口
２２１    ：室外側下框部
２２１ａ  ：中空部
２２２    ：室内側下框部
２２２ａ  ：中空部
２３      ：召合框
２３ｂ    ：パネル間口
２３１    ：室外側召合框部
２３１ａ  ：中空部
２３２    ：室内側召合框部
２３２ａ  ：中空部
２４      ：戸先框
２４ｂ    ：パネル間口
２４１    ：室外側戸先框部
２４１ａ  ：中空部
２４２    ：室内側戸先框部
２４２ａ  ：中空部
２５      ：パネル材
３        ：外障子
３１      ：上框
３２      ：下框
３２ａ    ：案内溝
３２１    ：室外側下框部
３２１ａ  ：下壁部
３２２    ：室内側下框部
３３      ：戸先框
３３ｂ    ：パネル間口
３３１    ：室外側戸先框部
３３１ａ  ：中空部
３４      ：召合框
３４ａ    ：中空部
３４ｂ    ：パネル間口
５１      ：上カバー部材
５１ａ    ：可動片
５２      ：下カバー部材
５２１    ：上壁部
５２１ａ  ：室外側端部
５２２    ：室内側脚部
５２２ａ  ：係止部
５２３    ：室外側脚部
５３      ：下カバー部材
５３１    ：支持部材
５３１ａ  ：室内側脚部
５３１ｂ  ：室外側脚部
５３２    ：カバー部
６１〜６７：加熱膨張材
【図１】
2018028247.tif 000003
【図２】
2018028247.tif 000004
【図３】
2018028247.tif 000005
【図４】
2018028247.tif 000006
【図５】
2018028247.tif 000007
【手続補正書】
【提出日】平成28年12月13日(2016.12.13)
【手続補正１】
【補正対象書類名】特許請求の範囲
【補正対象項目名】全文
【補正方法】変更
【補正の内容】
【特許請求の範囲】
【請求項１】
上下、左右の枠材を四周に組んでなり、建物開口部に配置される枠体と、枠体内に開閉自在に配置される障子と、枠体を構成する下枠の上面に取り付けられる樹脂製の下カバー部材を備え、
下カバー部材の下面には、下カバー部材の長手方向全長に沿って加熱により膨張する加熱膨張材が配置されている
ことを特徴とする建具。
【手続補正２】
【補正対象書類名】明細書
【補正対象項目名】０００６
【補正方法】変更
【補正の内容】
【０００６】
本発明は、上下、左右の枠材を四周に組んでなり、建物開口部に配置される枠体と、枠体内に開閉自在に配置される障子と、枠体を構成する下枠の上面に取り付けられる樹脂製の下カバー部材を備え、下カバー部材の下面には、下カバー部材の長手方向全長に沿って加熱により膨張する加熱膨張材が配置されていることを特徴とする。